(57)【要約】【課題】おりんとしての機能も有する遺骨・遺灰入れの提供を目的とする。【解決手段】叩くと音が鳴るりん部と遺骨又は遺灰を入れる収容部とを有することを特徴とする。【選択図】  図１
2020171660.tif 000002
【特許請求の範囲】
【請求項１】
叩くと音が鳴るりん部と遺骨又は遺灰を入れる収容部とを有することを特徴とする遺骨・遺灰入れ。
【請求項２】
前記収容部は上部側に開口部を有し、
前記りん部は前記開口部を上側から覆うものであることを特徴とする請求項１記載の遺骨・遺灰入れ。
【請求項３】
前記収容部は下部側のベース部と、前記ベース部から立設した収容筒部を有し、
前記りん部は前記収容筒部を覆うものであることを特徴とする請求項２記載の遺骨・遺灰入れ。
【請求項４】
前記りん部は逆さのお椀形状であることを特徴とする請求項１〜３のいずれかに記載の遺骨・遺灰入れ。
【請求項５】
前記収容部は底面が凸面形状であることを特徴とする請求項１〜４のいずれかに記載の遺骨・遺灰入れ。
【発明の詳細な説明】
【技術分野】
【０００１】
本発明は、遺骨や遺灰を入れるための骨壺に関し、特に単に骨壺であるだけでなく、音が鳴る機能も有する遺骨・遺灰入れに係る。
【背景技術】
【０００２】
従来、遺骨等は、骨壺に入れてお墓に収めるのが一般的であったが、近年は仏壇や身近なところに置き供養する、いわゆる手元供養といわれる形態が増えている。
【０００３】
例えば特許文献１には、クリスタルガラス製の骨壺を開示する。
しかし、同公報に開示する骨壺は内部が見えるので、粉末状にした遺骨等に限られるだけでなく、単に手元に置くだけの機能しか有していない。
【先行技術文献】
【特許文献】
【０００４】
【特許文献１】実用新案登録第３１９９６６１号公報
【発明の概要】
【発明が解決しようとする課題】
【０００５】
本発明は、おりんとしての機能も有する遺骨・遺灰入れの提供を目的とする。
【課題を解決するための手段】
【０００６】
本発明に係る遺骨・遺灰入れは、叩くと音が鳴るりん部と遺骨又は遺灰を入れる収容部とを有することを特徴とする。
ここで、「遺骨・遺灰入れ」と表現したのは、遺骨を入れてもよく、遺灰を入れてもよい趣旨である。
また、故人の供養のみならず、ペットの供養に用いてもよい。
【０００７】
本発明は、遺骨等を収容できるための収容部と、りん棒等にて叩くと音が鳴るりん部とを供えているものであれば、その構造に制限はない。
例えば、収容部は上部側に開口部を有し、前記りん部は前記開口部を上側から覆うものであってもよく、収容部は下部側のベース部と、前記ベース部から立設した収容筒部を有し、りん部は前記収容筒部を覆うものであってもよい。
【０００８】
本発明において、りん部は逆さのお椀形状であったり、収容部は底面が凸面形状であってもよく、このようにするとデザイン的にも優れる。
本発明に係るりん部の材質に限定はないが、音が長く鳴り響く点では黄銅合金等の金属製が好ましい。
本発明に係るりん部は収容部から取り外して、おりんとして使用することもできる。
【発明の効果】
【０００９】
本発明に係る遺骨・遺灰入れは、身近な所や仏壇等において供養できるとともに、りん棒等にて軽く叩いてお参りの際のおりんとしても機能する。
【図面の簡単な説明】
【００１０】
【図１】本発明に係る遺骨・遺灰入れの例を示し、（ａ）は外観図、（ｂ）は断面図を示す。
【図２】りん部をデザイン化した例を示す。
【図３】りん部を四角形状にした例を示す。
【図４】りん部を収容部の上端突部で受けた例を示す。
【図５】収容部の上部のねじ部にりん部を螺合した例を示す。
【図６】収容部の底部を凸面形状にした例を示す。
【図７】スカート部の短いりん部の例を示す。
【発明を実施するための形態】
【００１１】
本発明に係る遺骨・遺灰入れ（以下、遺骨等入れと称する。）の構造例を図に基づいて説明する。
図１は、全体として略球形の遺骨等入れの例を示す。
図１（ｂ）に、断面図を示すように遺骨等を入れるための収容室２３を備えた収容部２０と、その上に設けたりん部１０とからなる。
収容部２０は、ベース部２１とこのベース部２１から立設した収容筒部２２を有し、この収容筒部２２の内側が空間部になっていて、上部の開口部２３ａから遺骨等を入れる収容室２３になっている。
収容筒部２２の根元側には、拡径した段差部２１ｂを有する。
【００１２】
ベース部２１の底面は、仏壇等に載置しやすいように平坦な底部２１ａであってもよく、図６に示すように左右，前後の揺動可能に凸面形状の底部２１ｃであってもよい。
【００１３】
りん部１０は、収容筒部２２を上側から覆うことができるようになっていて、球面状の項部１２から周囲にスカート状に垂下したスカート部１３を有する。
スカート部１３の内側天井部が受け部１１になっていて、収容筒部の上端の載置部２２ａに載置する。
この際に、スカート部１３の下端部１３ａとベース部２１側の段差部２１ｂとの間に、所定の隙間ｄ１を形成するとともに、収容筒部２２の外周面とスカート部１３の内周面との間にも所定のクリアランスｄ２を形成してある。
これにより、りん部１０をりん棒等で叩くと、おりんとして音が鳴る。
りん部は、音が大きく長く響くように、金属製であるのが好ましい。
【００１４】
りん部の形状としては限定がなく、例えば図２に示すようにダルマ型１０Ａにデザイン化したり、図３に示すように四角形等の箱型１０Ｂにしてもよい。
この際に、りん部が振動しやすいように、収容筒部２２側の載置部を球面突部１２２ａにしたり、円錐状の突起部２２２ａにしてもよい。
また、図５に示すようにスカート部１３が長い場合には、収容筒部２２の上端部側のおねじ部２４と、りん部１０Ｃの天井部側のめねじ部１４にて、軽く螺合させてもよい。
さらには、図７に示すようにスカート部１３の短い逆さのお椀状のりん部１０Ｄにしてもよい。
【符号の説明】
【００１５】
１０      りん部
１１      受け部
１２      項部
１３      スカート部
２０      収容部
２１      ベース部
２１ａ    底部
２２      収容筒部
２２ａ    載置部
２３      収容室
ｄ１    隙間部
ｄ２    クリアランス
【図１】
2020171660.tif 000003
【図２】
2020171660.tif 000004
【図３】
2020171660.tif 000005
【図４】
2020171660.tif 000006
【図５】
2020171660.tif 000007
【図６】
2020171660.tif 000008
【図７】
2020171660.tif 000009
【手続補正書】
【提出日】令和1年8月28日(2019.8.28)
【手続補正１】
【補正対象書類名】特許請求の範囲
【補正対象項目名】全文
【補正方法】変更
【補正の内容】
【特許請求の範囲】
【請求項１】
叩くと音が鳴るりん部と遺骨又は遺灰を入れる収容部とを有し、
前記収容部は上部側に開口部を有し、
前記りん部は前記開口部を上側から覆うものであることを特徴とする遺骨・遺灰入れ。
【請求項２】
前記収容部は下部側のベース部と、前記ベース部から立設した収容筒部を有し、
前記りん部は前記収容筒部を覆うものであることを特徴とする請求項１記載の遺骨・遺灰入れ。
【請求項３】
前記りん部は逆さのお椀形状であることを特徴とする請求項１又は２に記載の遺骨・遺灰入れ。
【請求項４】
前記収容部は底面が凸面形状であることを特徴とする請求項１〜３のいずれかに記載の遺骨・遺灰入れ。